(57)【要約】【課題】話者の頬でマイクロホンへ通じる音孔が塞がれることなく、マイクロホンの感度を良好に保つとともに、デザイン性のよいヘッドセットを提供することである。【解決手段】ヘッドセット１０は、耳に挿入されるイヤホン部１２、１１５を有する本体部１１１と、マイクロホン２０が収容されるマイクロホン収容部１１３と、本体部１１１から延出して本体部１１１とマイクロホン収容部１１３とを連結する連結部１１２と、を備える。マイクロホン収容部１１３は、連結部１１２の延出方向と略平行となる側面を含む２つの側面部１１３ａ、１１３ｂを有する。２つの側面部１１３ａ、１１３ｂのうちの少なくともいずれか一方には、マイクロホン２０に通じる音孔１１６、１１７が形成されている。【選択図】図３
2014165568.tif 000002
【特許請求の範囲】
【請求項１】
耳に挿入されるイヤホン部を有する本体部と、
マイクロホンが収容されるマイクロホン収容部と、
前記本体部から延出して前記本体部と前記マイクロホン収容部とを連結する連結部と、
を備えるヘッドセットであって、
前記本体部の前記イヤホン部が設けられる側を正面側とした場合に、
前記マイクロホン収容部は、前記連結部の延出方向と略平行となる側面を含む側面部を２つ有し、
前記２つの側面部のうちの少なくともいずれか一方には、前記マイクロホンに通じる音孔が形成されていることを特徴とするヘッドセット。
【請求項２】
前記マイクロホンは、前記音孔が形成された一の側面部に対して略平行に配設される基板を有することを特徴とする請求項１に記載のヘッドセット。
【請求項３】
前記２つの側面部は、前記正面側に向かって間隔が狭まるように対向していることを特徴とする請求項１又は２に記載のヘッドセット。
【請求項４】
前記マイクロホン収容部は、第１部材と第２部材とを組み付けて形成され、
前記第１部材は、前記２つの側面部と、前記２つの側面部を連結する正面部と、を有する一体成形部材であり、
前記第２部材は、前記正面部と反対側に設けられる背面部を有する部材であることを特徴とする請求項１〜３の何れかに記載のヘッドセット。
【請求項５】
前記マイクロホンを前記音孔が形成された一の側面部の内面に向けて押圧するマイクロホン固定部材を備えることを特徴とする請求項１〜４の何れかに記載のヘッドセット。
【請求項６】
前記マイクロホン固定部材が前記マイクロホン収容部に一体成形されていることを特徴とする請求項５記載のヘッドセット。
【請求項７】
前記マイクロホンが２つのマイクロホン音孔を有する差動マイクロホンであり、
前記マイクロホン収容部に形成される前記音孔は２つであることを特徴とする請求項１〜６の何れかに記載のヘッドセット。
【発明の詳細な説明】
【技術分野】
【０００１】
本発明は、ヘッドセットに関し、特にマイクロホンとイヤホンスピーカーとを備えたヘッドセットに関する。
【背景技術】
【０００２】
従来から、マイクロホンとイヤホンスピーカーとを備えたヘッドセットが知られている（例えば、特許文献１参照）。
【０００３】
特許文献１には、スピーカーを備えるハウジング（筐体）と、マイクロホンと、イヤピースとを備える通信ヘッドセットが開示されている。この通信ヘッドセットでは、イヤピースが調節可能であり、話者の耳の大きさに適応するようになっている。
【先行技術文献】
【特許文献】
【０００４】
【特許文献１】特表２０１０−５０５３１７号公報
【発明の概要】
【発明が解決しようとする課題】
【０００５】
しかしながら、特許文献１では、スピーカーの音孔と、マイクロホンの音孔とがハウジングの同一面に形成されているので、話者の頬でマイクロホンの音孔を塞いでしまうおそれがある。マイクロホンの音孔が塞がれるとマイクロホンの感度が低くなり、話者が発する音声を拾えなくなるという問題がある。
【０００６】
また、ブームアームの先端のアームヘッドにマイクロホンを収容するタイプのヘッドセットも知られている。このようなヘッドセットではマイクロホンを配設する方向によってアームヘッドの形が大きく影響され、デザイン性が悪くなることもある。
【０００７】
本発明は、話者の頬でマイクロホンへ通じる音孔が塞がれにくく、マイクロホンの感度を良好に保つとともに、デザイン性のよいヘッドセットを提供することを目的とする。
【課題を解決するための手段】
【０００８】
上記目的を達成するために本発明のヘッドセットは、耳に挿入されるイヤホン部を有する本体部と、マイクロホンが収容されるマイクロホン収容部と、前記本体部から延出して前記本体部と前記マイクロホン収容部とを連結する連結部と、を備えるヘッドセットであって、前記本体部の前記イヤホン部が設けられる側を正面側とした場合に、前記マイクロホン収容部は、前記連結部の延出方向と略平行となる側面を含む側面部を２つ有し、前記２つの側面部のうちの少なくともいずれか一方には、前記マイクロホンに通じる音孔が形成されていることを特徴とするものである。
【０００９】
この構成によれば、マイクロホン収容部の側面部にマイクロホンへ通じる音孔が形成されているので、話者がヘッドセットを装着したときに、話者の頬で音孔が塞がれにくい。したがって、マイクロホンの感度を良好に保つことができる。また、側面部に音孔を設けた効果により、マイクロホンの配置方向を従来の方向から変更することができ、話者がヘッドセットを装着した状態で、対面側から見てマイクロホン収容部を薄く見せることが可能である。すなわち、本構成によれば、デザイン性の良いヘッドセットを提供可能である。
【００１０】
上記のヘッドセットにおいて、前記マイクロホンは、前記音孔が形成された一の側面部に対して略平行に配設される基板を有するのが好ましい。本構成により、前記２つの側面部の間隔を薄くしてマイクロホン収容部を薄く見せることが可能である。
【００１１】
また上記のヘッドセットにおいて、前記２つの側面部は、前記正面側に向かって間隔が狭まるように対向していることが好ましい。
【００１２】
この構成によれば、組み立て時に前記２つの側面部の間に収容されるマイクロホンを、前記２つの側面部の間隔が広い側から挿入するということができる。すなわち、本構成によれば、マイクロホンの挿入が行い易く、組み立て性が良くなることが期待できる。
【００１３】
また上記のヘッドセットにおいて、前記マイクロホン収容部は、第１部材と第２部材とを組み付けて形成され、前記第１部材は、前記２つの側面部と、前記２つの側面部を連結する正面部と、を有する一体成形部材であり、前記第２部材は、前記正面部と反対側に設けられる背面部を有する部材であることとしてよい。
【００１４】
この構成によれば、マイクロホン収容部を構成する部材が、第１及び第２部材の２点であるので、最小限の部品点数を実現できるとともに、組み立て工程数も少なくできる。組み立て時には第１部材内に差動マイクロホンを接着又は載置して第２部材をはめ込むだけなので、組み立て性も良い。また、マイクロホン収容部が左右に分割されていないので、分割ラインが見えることがなく、デザイン性も良い。
【００１５】
また上記のヘッドセットが、前記マイクロホンを前記音孔が形成された一の側面部の内面に向けて押圧するマイクロホン固定部材を備えるようにしてもよい。
【００１６】
この構成によれば、マイクロホン固定部材でマイクロホンを音孔が形成された側面部に押圧して固定できるために、例えばガスケット等と組み合わせて音漏れを防止し易い。
【００１７】
また上記のヘッドセットにおいて、前記マイクロホン固定部材が前記マイクロホン収容部に一体成形されていてもよい。
【００１８】
この構成によれば、最小限の部品点数を実現できるとともに、組み立て工程数も少なくできる。
【００１９】
また上記のヘッドセットにおいて、前記マイクロホンが２つのマイクロホン音孔を有する差動マイクロホンであり、前記マイクロホン収容部に形成された前記音孔が２つであるようにしてもよい。
【００２０】
この構成によれば、ヘッドセットに２つの音孔を有する差動マイクロホンを搭載できる。
【発明の効果】
【００２１】
本発明によると、話者の頬でマイクロホンへ通じる音孔が塞がれにくく、マイクロホンの感度を良好に保つとともに、デザイン性のよいヘッドセットを提供できる。
【図面の簡単な説明】
【００２２】
【図１】本発明の第１実施形態のヘッドセットの斜視図である。
【図２】本発明の第１実施形態のヘッドセットの斜視図である。
【図３】本発明の第１実施形態のヘッドセットの斜視図である。
【図４】本発明の第１実施形態のヘッドセットの分解斜視図である。
【図５】本発明の第１実施形態のヘッドセットの分解斜視図である。
【図６】本発明の第１実施形態のヘッドセットの一部の分解斜視図である。
【図７】図３のＡ−Ａ線断面図である。
【図８】本発明の第２実施形態のヘッドセットにおけるアームヘッドの断面図である。
【図９】本発明の第３実施形態のヘッドセットにおけるアームヘッド周辺の分解斜視図である。
【図１０】差動マイクロホンの一例の断面図である。
【発明を実施するための形態】
【００２３】
以下に本発明の実施形態について、図面を参照して説明する。各実施形態及び実施形態における細かな変形例は可能な範囲で組み合わせて実施することもできる。
【００２４】
（第１実施形態）
図１〜３は第１実施形態のヘッドセットの斜視図、図４、５は第１実施形態のヘッドセットの分解斜視図、図６は第１実施形態のヘッドセットの一部の分解斜視図、図７は図３のＡ−Ａ線断面図である。図１〜３には矢印方向が正方向を示すＸＹＺ軸を付加している。図４〜６では、以下で説明する主要な構成のみ図示している。
【００２５】
図１〜３に示すように、ヘッドセット１０は、筐体１１と、イヤーパッド１２と、マルチファンクションボタン１３と、ＬＥＤ（Light Emitting Diode）ランプ１４と、充電端子１５と、音量ボタン１６とを備えている。このヘッドセット１０は話者の片耳に取り付けるタイプである。なお、耳からの落下防止のためにイヤーフックを設けてもよい。イヤーフックは、例えば、イヤーパッド１２近辺に設けたゴム状のリングとすることができる。
【００２６】
イヤーパッド１２は筐体１１（後述するスピーカー収容部１１４）の−Ｚ方向側の面から−Ｚ方向と＋Ｘ方向との間の方向に突出した部材であり、イヤホンスピーカーの出力面に対向して配設されている。イヤーパッド１２はイヤホンスピーカーからの音を出力する孔１２１を有している。
【００２７】
マルチファンクションボタン１３は筐体１１（後述する制御部収容部１１４）の側面に形成された操作ボタンである。マルチファンクションボタン１３はヘッドセット１０の各種機能を選択し、実行させるためのボタンである。ＬＥＤランプ１４はマルチファンクションボタン１３の横に形成され、ＬＥＤの点灯、消灯、色などによって電源のオン／オフ及び充電中を示すものである。充電端子１５はＬＥＤランプ１４の横に形成され、ヘッドセット１０を充電するためのコードを接続する端子である。音量ボタン１６は筐体１１のマルチファンクションボタン１３とは反対側の側面に形成された操作ボタンであり、イヤホンスピーカーから出力される音量を調整するためのボタンである。
【００２８】
筐体１１は、本体部１１１と、本体部１１１の一端から＋Ｘ方向に延出したブームアーム１１２と、ブームアーム１１２の先端（本体部１１１とは反対側の一端）に形成されたアームヘッド１１３とを備えている。筐体１１は、例えば、複数の樹脂成形部材を組み合わせることで形成される。なお、本体部１１１は、本発明の本体部の一例である。また、ブームアーム１１２は、本発明の連結部の一例である。また、アームヘッド１１３は、本発明のマイクロホン収容部の一例である。
【００２９】
本体部１１１は、各部を制御する制御部を収容する制御部収容部１１４と、イヤホンスピーカーを収容するスピーカー収容部１１５とを備えている。制御部収容部１１４は略直方体形状である。スピーカー収容部１１５は制御部収容部１１４の内側（話者側）から−Ｚ方向へ突出した部材であり、耳へ挿入されるものである。本実施形態ではイヤホンスピーカーが円盤状であるので、スピーカー収容部１１５もその形状のイヤホンスピーカーを覆う円盤状としている。なお、イヤホンスピーカー収容部１１５は制御部収容部１１４から突出していなくてもよい。この場合、イヤーパッド１２を耳への装着を保持する形状にするとよい。また、スピーカー収容部１１５及びイヤーパッド１２は、本発明のイヤホン部の一例である。
【００３０】
ブームアーム１１２は、本体部１１１とアームヘッド１１３とを繋ぎ、話者の顔の前面方向に延出し、マイクロホンと制御部とを繋ぐ配線を収容する部材である。ブームアーム１１２は、図１〜３では制御部収容部１１４の＋Ｘ方向側の端部の中央から直線的に＋Ｘ方向に延出している。なお、ブームアーム１１２は、話者の輪郭に沿った形状としてもよい。つまり、＋Ｘ方向に延出するとともに−Ｚ方向へ湾曲したような形状である。
【００３１】
アームヘッド１１３は、例えば略直方体の部材であり、ブームアーム１１２の延出方向（＋Ｘ方向）に対してアームヘッド１１３の延出方向（長手方向）が−Ｚ方向側（装着時の話者の頬側）に曲がっている。これはアームヘッド１１３を話者の頬に沿って配置するためである。なお、ブームアーム１１２が短い場合はアームヘッド１１３の延出方向がブームアーム１１２と同じ＋Ｘ方向であってもアームヘッド１１３を話者の頬に沿わせることができる。
【００３２】
アームヘッド１１３にはマイクロホンが収容される。そして、アームヘッド１１３には、マイクロホンに通じる貫通孔である第１及び第２音孔１１６、１１７が形成されている。第１音孔１１６はアームヘッド１１３の先端付近に配設され、一方、第２音孔１１７はアームヘッド１１３のブームアーム１１２側の端部付近に配設されている。
【００３３】
第１及び第２音孔１１６、１１７の形状には特に限定はなく、図２、３に示したような長円形をはじめ、円形や多角形でもよい。また、音孔の数に限定はなく、１つでも３つ以上でもよい。後述する図１０の差動マイクロホン２０を用いる場合、第１音孔１１６が後述する第１のマイクロホン音孔２７に、第２音孔１１７が後述する第２のマイクロホン音孔２８に繋がる（図６参照）。
【００３４】
アームヘッド１１３は、図１〜３に示すように、上側面部１１３ａ、下側面部１１３ｂ、正面部１１３ｃ、背面部１１３ｄ、先端側面部１１３ｅを有する。なお、これは、ヘッドセット１０を装着する話者（ユーザー）を基準とした表現である。また、ここでは、話者の右耳にヘッドセット１０が装着される場合を例に説明するが、左耳に装着しても問題なく使用することができる。また、上側面部１１３ａ及び下側面部１１３ｂは、本発明の２つの側面部の一例である。また、正面部１１３ｃは、本発明の正面部の一例である。また、第１音孔１１６及び第２音孔１１７は、本発明の側面部に形成される音孔の一例である。
【００３５】
上側面部１１３ａは、話者がヘッドセット１０を装着したときに、上向き（＋Ｙ方向）となる面を有する。そして、上側面部１１３ａに第１及び第２音孔１１６、１１７が形成されている。なお、第１及び第２音孔１１６、１１７は下側面部１１３ｂに形成されてもよい。
【００３６】
下側面部１１３ｂは、話者がヘッドセット１０を装着したときに、下向き（−Ｙ方向）となる面を有する。下側面部１１３ｂは上側面部１１３ａに対向し、上側面部１１３ａと合同な形状を有している。なお、合同な形状に限らず、相似な形状であってもよい。上側面部１１３ａと下側面部１１３ｂとは話者側に向かって間隔が狭まるように対向している。つまり、テーパー状をなしており、それらの内面同士は話者側に向かって間隔が狭まるように対向している。これにより、組み立て時に上側面部１１３ａの内面と下側面部１１３ｂの内面との間隔が広い方からマイクロホンを挿入できるので挿入しやすく、組み立て性が良い。組み立て方については後述する。
【００３７】
正面部１１３ｃは、話者がヘッドセット１０を装着したときに、話者と向き合う面を有する。正面部１１３ｃは上側面部１１３ａの話者側の端面と下側面部１１３ｂの話者側の端面とを繋いでいる。
【００３８】
背面部１１３ｄは、話者がヘッドセット１０を装着したときに、話者側とは反対側（＋Ｚ方向側）になる面を有する。背面部１１３ｄは上側面部１１３ａの話者側とは反対側の端面と下側面部１１３ｂの話者側とは反対側の端面とを繋いでいる。
【００３９】
先端側面部１１３ｅは、アームヘッド１１３の先端側（＋Ｘ方向側）の面を有する。先端側面部１１３ｅは、上側面部１１３ａの先端側の端面と、下側面部１１３ｂの先端側の端面と、正面部１１３ｃの先端側の端面と、背面部１１３ｄの先端側の端面とを繋いでいる。そして、各部１１３ａ〜１１３ｅの境界は滑らかな曲面となっている。
【００４０】
上述したように、アームヘッド１１３に設ける音孔の数に限定はない。アームヘッド１１３に１つの音孔を設ける場合は上側面部１１３ａ又は下側面部に設ける。一方、アームヘッド１１３に複数の音孔を設ける場合は、上側面部１１３ａ又は下側面部に少なくとも１つの音孔を設ければよく、２つ目以降の音孔は話者の頬に面する正面部１１３ｃを除いて、どの側面部や背面部に設けてもよい。頬によって音孔が塞がれないようにするためである。
【００４１】
このように、アームヘッド１１３は、話者がヘッドセット１０を装着したときに上向きとなる上側面部１１３ａと、話者がヘッドセット１０を装着したときに下向きとなる下側面部１１３ｂと、マイクロホンに通じるように、上側面部１１３ａ又は下側面部１１３ｂに形成された音孔とを有する。そのため、話者の頬でマイクロホンへ通じる音孔（第１及び第２音孔１１６、１１７）が塞がれることがない。したがって、マイクロホンの感度を良好に保つことができる。
【００４２】
上記のマイクロホンとしては、差動マイクロホンをはじめ、ＳＭＤ（Surface Mount Device）タイプで直方体形状のものを好適に用いることができる。例えば、図１０に示すような差動マイクロホンを用いることができる。図１０は差動マイクロホンの一例の断面図である。
【００４３】
差動マイクロホン２０は、搭載部（基板）２１と、搭載部２１に被せられる蓋部２２とによって形成される略直方体形状のマイクロホン筐体２３を備える構成となっている。マイクロホン筐体２３の内部には、第１のＭＥＭＳ（Micro Electro Mechanical System）チップ２４と、第１のＡＳＩＣ（Application Specific Integrated Circuit）と、第２のＭＥＭＳチップ２５と、第２のＡＳＩＣ２６と、が収容されている。マイクロホン筐体２３には、第１及び第２のマイクロホン音孔２７、２８が形成されている。
【００４４】
第１及び第２のＭＥＭＳチップ２４、２５は、シリコンチップからなり、それぞれ第１及び第２の振動板２４１、２５１を備えている。第１の振動板２４１は第１のマイクロホン音孔２７を通じて上から、第２の振動板２５１は第１及び第２のマイクロホン音孔２７、２８を通じて上下両方から音波が到達するようになっている。第１及び第２のＭＥＭＳチップ２４、２５においては、音波の到来により第１及び第２の振動板２４１、２５１が振動すると、不図示の固定電極との間の静電容量が変化する。この結果、第１及び第２のＭＥＭＳチップ２４、２５に入射した音波（音信号）を電気信号として取り出せる。すなわち、第１及び第２のＭＥＭＳチップ２４、２５は、音信号を電気信号に変換する機能を有する。
【００４５】
差動マイクロホン２０の外部で音が生じると、第１のマイクロホン音孔２７から入力された音波が第１の音道３１によって第１の振動板２４１の上面に到達し、第１の振動板２４１が振動する。これにより、第１のＭＥＭＳチップ２４において静電容量の変化が生じる。第１のＭＥＭＳチップ２４の静電容量の変化に基づいて取り出された電気信号は、第１のＡＳＩＣ（図示されないが、第１のＭＥＭＳチップ２６に対して紙面奥側に存在する）のアンプ回路によって増幅処理されて出力される。
【００４６】
また、差動マイクロホン２０の外部で音が生じると、第１のマイクロホン音孔２７から入力された音波が第１の音道３１によって第２の振動板２５１の上面に到達すると共に、第２のマイクロホン音孔２８から入力された音波が第２の音道３２によって第２の振動板２５１の下面に到達する。このために、第２の振動板２５１は、その上面に加わる音圧と下面に加わる音圧との音圧差によって振動する。これにより、第２のＭＥＭＳチップ２５において静電容量の変化が生じる。第２のＭＥＭＳチップ２５の静電容量の変化に基づいて取り出された電気信号は、第２のＡＳＩＣ２６のアンプ回路によって増幅処理されて出力される。
【００４７】
音源から第１の振動板２４１までの距離が一定であれば、音源がどの方向にあっても第１の振動板２４１に加わる音圧は一定となる。すなわち、第１のＭＥＭＳチップ２４側を利用する場合、差動マイクロホン２０は、あらゆる方向から入射される音波を均等に受ける全指向特性を示す。
【００４８】
一方、第２のＭＥＭＳチップ２５側を利用する場合、差動マイクロホン２０は、全指向性特性を示さず、両指向特性を示す。音源から第２の振動板２５１までの距離が一定であれば、音源が０°又は１８０°の方向（第１及び第２のマイクロホン音孔２７、２８を結ぶ方向）にあるときに第２の振動板２５１に加わる音圧が最大となる。これは、音波が第２の音孔２８から第２の振動板２５１の下面に至る距離と、音波が第１の音孔２７から第２の振動板２５１の上面へと至る距離との差が最も大きくなるからである。
【００４９】
これに対し、音源が９０°又は２７０°の方向にあるときに第２の振動板２５１に加わる音圧が最小（０）になる。これは、音波が第２の音孔２８から第２の振動板２５１の下面に至る距離と、音波が第１の音孔２７から第２の振動板２５１の上面へと至る距離との差がほぼ０となるからである。すなわち、第２のＭＥＭＳチップ２５側を利用する場合、差動マイクロホン２０は、０°及び１８０°の方向から入射される音波に対して感度が高く、９０°及び２７０°の方向から入射される音波に対して感度が低い特性（両指向性）を示す。
【００５０】
このように、差動マイクロホン２０は遠方ノイズ抑圧性能に優れた両指向性マイクロホンとしての機能（第２のＭＥＭＳチップ２５から取り出される信号を使用することにより得られる）と、遠距離音を収音可能な全指向性マイクロホンとしての機能（第１のＭＥＭＳチップ２４から取り出される信号を使用することにより得られる）と、を兼ね備える構成となっている。
【００５１】
また、マイクロホンとしては上記の第１のＭＥＭＳチップ２４及び第１のＡＳＩＣを省いたような構成であってもよい。このような構成として、例えば、振動板の振動に基づいて音信号を電気信号に変換する振動部と、外部に面する第１及び第２音孔と、第１音孔から入力される音波を先程の振動板の一方の面に伝達する第１音道と、第２音孔から入力される音波を先程の振動板の他方の面に伝達する第２音道と、を備える差動マイクロホンが挙げられる。
【００５２】
次に、図４〜７を参照してアームヘッド１１３の構造について説明する。ここではマイクロホンとして上述した差動マイクロホン２０を用いて説明する。
【００５３】
図４〜６に示すように、アームヘッド１１３を含む筐体１１は、第１部材１１ａと第２部材１１ｂとを組み付けることで形成される。第１部材１１ａは、アームヘッド１１３の上側面部１１３ａと、下側面部１１３ｂと、正面部１１３ｃと、先端側面部１１３ｅと、ブームアーム１１２の話者側の面を含む部分１１２ａと、本体部１１１の話者側の面を含む部分１１１ａとを有する一体成形部材である。
【００５４】
一方、第２部材１１ｂは、アームヘッド１１３の背面部１１３ｄと、ブームアーム１１２の話者側とは反対側の面を含む部分１１２ｂと、本体部１１１の話者側とは反対側の面を含む部分１１１ｂと、を有する部材である。
【００５５】
第１部材１１ａと第２部材１１ｂとは、材料の弾性を利用して凸部を凹部にはめ込むことにより固定する方式、いわゆるスナップフィットにより固定されうる。図４〜６にスナップフィットによって固定する固定部４０を示す。
【００５６】
また、第２部材１１ｂには、差動マイクロホン２０を固定するための２つのマイクロホン固定部材１１８が一体成形されている。マイクロホン固定部材１１８は、アームヘッド１１３の背面部１１３ｄの内面から正面部１１３ｃ方向へ突出した略直方体の突起である。マイクロホン固定部材１１８におけるアームヘッド１１３の上側面部１１３ａ側の面１１８ａはアームヘッド１１３の上側面部１１３ａの内面と略平行に形成されている。
【００５７】
組み立て時には、まず、差動マイクロホン２０の第１及び第２のマイクロホン音孔２７、２８側にガスケット４１（図７参照）を両面粘着テープ等で接着する。ガスケット４１は、ゴム等の板材であり、第１及び第２のマイクロホン音孔２７、２８と同形状の孔が形成された部材である。ガスケット４１には差動マイクロホン２０とアームヘッド１１３の上側面部１１３ａの内面との隙間をなくす役割がある。
【００５８】
次に、ガスケット４１におけるアームヘッド１１３の上側面部１１３ａの内面と対向する面に両面粘着テープ等を貼着する。続いて、第１及び第２のマイクロホン音孔２７、２８がアームヘッドに形成された第１及び第２音孔１１６、１１７に重なるように、差動マイクロホン２０（ガスケット４１を含む）を第１部材１１ａのアームヘッド１１３内に接着する。
【００５９】
次に、第１部材１１ａと第２部材１１ｂとを固定部４０のスナップフィットによって組み付ける。これにより、マイクロホン固定部材１１８の面１１８ａが、第１及び第２音孔１１６、１１７とは反対側の差動マイクロホン２０の面（差動マイクロホン２０のマイクロホン固定部材１１８側の面）を押圧する。その結果、差動マイクロホン２０がアームヘッド１１３の上側面部１１３ａの内面側へ圧接される。
【００６０】
このように、差動マイクロホン２０はアームヘッド１１３へ粘着テープで固定される。さらに、差動マイクロホン２０は、差動マイクロホン２０の第１及び第２音孔１１６、１１７側とは反対側の面を押圧し、差動マイクロホン２０を第１及び第２音孔１１６、１１７が形成された上側面部１１３ａの内面側へ圧接するマイクロホン固定部材１１８を用いて固定される。
【００６１】
また上記の構成によると、差動マイクロホン２０は、上側面部１１３ａに略平行に配設される搭載部（基板）２１を有しているといえる。これは、第１及び第２音孔１１６、１１７がアームヘッド１１３の上側面部１１３ａ（又は下側面部１１３ｂ）に形成されているからである。搭載部２１を上側面部１１３ａに略平行に配置することで、上側面部１１３ａと下側面部１１３ｂとの間隔を正面部１１３ｃと背面部１１３ｄとの間隔より狭くできる。その結果、話者がヘッドセット１０を装着した状態で、対面側から見てアームヘッド１１３が薄く見えるのでデザイン性がよい。
【００６２】
また上記の構成によると、アームヘッド１１３を構成する部材が、第１及び第２部材１１ａ、１１ｂの２点であるので、最小限の部品点数を実現できるとともに、組み立て工程数も少なくできる。組み立て時には第１部材１１ａ内に差動マイクロホン２０を接着又は載置して第２部材１１ｂをはめ込むだけなので、組み立て性も良い。また、後述する図９のようにアームヘッド１１３が左右に分割されていないので、分割ラインが見えることがなく、デザイン性が良い。
【００６３】
また上記の構成によると、アームヘッド１１３の上側面部１１３ａの内面と下側面部１１３ｂの内面とは話者側に向かって間隔が狭まるように対向しているので、組み立て時に上側面部１１３ａの内面と下側面部１１３ｂの内面との間隔が広い方である背面部１１３ｄ側から差動マイクロホン２０を挿入できるので挿入しやすく、組み立て性が良い。
【００６４】
（第２実施形態）
図８は第２実施形態のヘッドセットにおけるアームヘッドの断面図である。図８は図７と同じ位置の断面を示している。第２実施形態が第１実施形態と異なる点は、図８に示すマイクロホン固定部材４２がアームヘッド１１３と別体である点である。マイクロホン固定部材４２による作用効果は第１実施形態のマイクロホン固定部材１１８と同様である。第２実施形態のその他の構成は第１実施形態と同様であるので説明を省略する。
【００６５】
マイクロホン固定部材４２は、表裏面がテーパー状をなす板状部材である。マイクロホン固定部材４２は、差動マイクロホン２０とアームヘッド１１３の下側面部１１３ｂの内面とで挟持されている。換言すれば、差動マイクロホン２０とアームヘッド１１３の下側面部１１３ｂの内面との間にマイクロホン固定部材４２を挟み込むことで、差動マイクロホン２０がずれないように固定している。
【００６６】
組み立て時には、まず、差動マイクロホン２０の第１及び第２のマイクロホン音孔２７、２８側にガスケット４１を両面粘着テープ等で接着する。次に、ガスケット４１におけるアームヘッド１１３の上側面部１１３ａの内面と対向する面に両面粘着テープ等を貼着する。続いて、第１及び第２のマイクロホン音孔２７、２８がアームヘッド１１３に形成された第１及び第２音孔１１６、１１７に重なるように、差動マイクロホン２０（ガスケット４１を含む）を第１部材１１ａのアームヘッド１１３内に接着する。
【００６７】
次に、差動マイクロホン２０とアームヘッド１１３の下側面部１１３ｂの内面との間に、マイクロホン固定部材４２を挿入する。これにより、マイクロホン固定部材４２が、第１及び第２音孔１１６、１１７とは反対側の差動マイクロホン２０の面（差動マイクロホン２０のマイクロホン固定部材４２側の面）を押圧する。その結果、差動マイクロホン２０がアームヘッド１１３の上側面部１１３ａの内面側へ圧接される。次に、第１部材１１ａとマイクロホン固定部材１１８が形成されていない第２部材１１ｂとを固定部４０のスナップフィットによって組み付ける。
【００６８】
このように、差動マイクロホン２０は、差動マイクロホン２０の第１及び第２音孔１１６、１１７側とは反対側の面を押圧し、差動マイクロホン２０を第１及び第２音孔１１６、１１７が形成された上側面部１１３ａの内面側へ圧接するマイクロホン固定部材４２を用いて固定される。
【００６９】
また上記の構成によると、第１実施形態と同様に、差動マイクロホン２０は、上側面部１１３ａに略平行に配設される搭載部（基板）２１を有しているといえる。これは、第１及び第２音孔１１６、１１７がアームヘッド１１３の上側面部１１３ａ（又は下側面部１１３ｂ）に形成されているからである。搭載部２１を上側面部１１３ａに略平行に配置することで、上側面部１１３ａと下側面部１１３ｂとの間隔を正面部１１３ｃと背面部１１３ｄとの間隔より狭くできる。その結果、話者がヘッドセット１０を装着した状態で、対面側から見てアームヘッド１１３が薄く見えるのでデザイン性がよい。
【００７０】
（第３実施形態）
図９は第３実施形態のヘッドセットにおけるアームヘッド周辺の分解斜視図である。第３実施形態が第１実施形態と異なる点は、まず、第１実施形態の第１部材１１ａのアームヘッド１１３部分が別体でさらに２分割され、図９に示す上側面側部材１１ｃと下側面側部材１１ｄとで構成されている点である。次に、図９に示す２つのマイクロホン固定部材１１９がアームヘッド１１３の下側面部１１３ｂの内面に形成されている点である。第３実施形態のその他の構成は第１実施形態と同様であるので説明を省略する。
【００７１】
アームヘッド１１３は、上側面側部材１１ｃと、下側面側部材１１ｄと、マイクロホン固定部材１１８が形成されていない第２部材１１ｂの先端部分とで構成されている。上側面側部材１１ｃは、上側面部１１３ａと、正面部１１３ｃの上側面部１１３ａ側の半分と、先端側面部１１３ｅの上側面部１１３ａ側の半分とで構成されている。一方、下側面側部材１１ｄは、下側面部１１３ｂと、正面部１１３ｃの下側面部１１３ｂ側の半分と、先端側面部１１３ｅの下側面部１１３ｂ側の半分とで構成されている。
【００７２】
下側面側部材１１ｄにおける下側面部１１３ｂの内面に、差動マイクロホン２０を固定するための２つのマイクロホン固定部材１１９が一体成形されている。マイクロホン固定部材１１９は、下側面部１１３ｂの内面から上側面部１１３ａ方向へ突出した突起である。マイクロホン固定部材１１９におけるアームヘッド１１３の上側面部１１３ａ側の面１１９ａはアームヘッド１１３の上側面部１１３ａの内面と略平行に形成されている。
【００７３】
組み立て時には、まず、差動マイクロホン２０の第１及び第２のマイクロホン音孔２７、２８側にガスケット４１を両面粘着テープ等で接着する。次に、ガスケット４１における上側面側部材１１ｃの上側面部１１３ａの内面と対向する面に両面粘着テープ等を貼着する。続いて、第１及び第２のマイクロホン音孔２７、２８が上側面側部材１１ｃに形成された第１及び第２音孔１１６、１１７に重なるように、差動マイクロホン２０（ガスケット４１を含む）を上側面側部材１１ｃ内に接着する。
【００７４】
次に、差動マイクロホン２０が接着された上側面側部材１１ｃと下側面側部材１１ｄとを接着剤やスナップフィット等によって組み付ける。これにより、マイクロホン固定部材１１９の面１１９ａが、第１及び第２音孔１１６、１１７とは反対側の差動マイクロホン２０の面（差動マイクロホン２０のマイクロホン固定部材１１９側の面）を押圧する。その結果、差動マイクロホン２０がアームヘッド１１３の上側面部１１３ａの内面側へ圧接される。次に、上側面側部材１１ｃ及び下側面側部材１１ｄが組み付けられた状態のものとマイクロホン固定部材１１８が形成されていない第２部材１１ｂとを固定部４０のスナップフィットによって組み付ける。
【００７５】
なお、差動マイクロホン２０が接着された上側面側部材１１ｃと下側面側部材１１ｄとを接着剤やスナップフィット等によって組み付ける際に、第２部材１１ｂを側方から挟み込むことで、固定部４０を係合させてもよい。この方法によると、上述した上側面側部材１１ｃ及び下側面側部材１１ｄが組み付けられた状態のものとマイクロホン固定部材１１８が形成されていない第２部材１１ｂとを組み付ける工程を省くことができる。
【００７６】
このように、差動マイクロホン２０は、差動マイクロホン２０の第１及び第２音孔１１６、１１７側とは反対側の面を押圧し、差動マイクロホン２０を第１及び第２音孔１１６、１１７が形成された上側面部１１３ａの内面側へ圧接するマイクロホン固定部材１１９を用いて固定される。
【００７７】
また上記の構成によると、第１実施形態と同様に、差動マイクロホン２０は、上側面部１１３ａに略平行に配設される搭載部（基板）２１を有しているといえる。これは、第１及び第２音孔１１６、１１７がアームヘッド１１３の上側面部１１３ａ（又は下側面部１１３ｂ）に形成されているからである。搭載部２１を上側面部１１３ａに略平行に配置することで、上側面部１１３ａと下側面部１１３ｂとの間隔を正面部１１３ｃと背面部１１３ｄとの間隔より狭くできる。その結果、話者がヘッドセット１０を装着した状態で、対面側から見てアームヘッド１１３が薄く見えるのでデザイン性がよい。
【００７８】
なお、第１〜第３実施形態において、両面粘着テープは省略できる。この場合でもマイクロホン固定部材によって差動マイクロホン２０が固定されるので、差動マイクロホン２０の位置がずれることはない。また、ガスケット４１も省略できる。この場合、両面粘着テープ等によって差動マイクロホン２０とアームヘッド１１３の上側面部１１３ａの内面とを接着してもよいし、接着しなくてもよい。
【符号の説明】
【００７９】
１０  ヘッドセット
１１  筐体
１１ａ  第１部材
１１ｂ  第２部材
１２  イヤーパッド（イヤホン部の一部）
２０  差動マイクロホン
４２、１１８、１１９  マイクロホン固定部材
１１１  本体部
１１２  ブームアーム（連結部）
１１３  アームヘッド（マイクロホン収容部）
１１３ａ  上側面部
１１３ｂ  下側面部
１１３ｃ  正面部
１１３ｄ  背面部
１１５  イヤホンスピーカー収容部（イヤホン部の一部）
１１６  第１音孔
１１７  第２音孔
【図１】
2014165568.tif 000003
【図２】
2014165568.tif 000004
【図３】
2014165568.tif 000005
【図４】
2014165568.tif 000006
【図５】
2014165568.tif 000007
【図６】
2014165568.tif 000008
【図７】
2014165568.tif 000009
【図８】
2014165568.tif 000010
【図９】
2014165568.tif 000011
【図１０】
2014165568.tif 000012